(57)【要約】【構成】マスタキーを含む１または２以上の登録キーとカメラ１２に翳された入力キーとの間で符号条件が満足されると、ＨＤＤ２０に記録された所望のフォルダがＣＰＵ１８によってオープンされる。所望のフォルダがオープンされた状態でキーボード／マウス２２に対するキー追加操作が行われると、ＣＰＵ１８は所望のキーを登録キーとして追加する。ただし、所望のフォルダのオープンがマスタキーとの符号に起因するか否かがＣＰＵ１８によって判別され、キー追加操作は、肯定的な判別結果に対応して許可される一方、否定的な判別結果に対応して禁止される。【効果】フォルダのロック機能の安全性を確保しつつ、フォルダのロックを解除できるキーを追加することができる。【選択図】図２
2010267097.tif 000002
【特許請求の範囲】
【請求項１】
マスタキーを含む１または２以上の登録キーと入力キーとの間で符号条件が満足されるときロックを解除する解除手段、
前記ロックが解除された状態でキー追加操作が行われたとき所望のキーを前記登録キーとして追加する追加手段、および
前記解除手段による解除が前記マスタキーとの符号に起因するか否かを判別し、肯定的な判別結果に対応して前記追加手段を起動する一方、否定的な判別結果に対応して前記追加手段を停止する制御手段を備える、ロック装置。
【請求項２】
前記解除手段はカメラ画像から前記１または２以上の登録キーと符号するキーを探索する探索手段を含み、
前記追加手段はカメラ画像上の物体を前記登録キーとして認識する認識手段(S57)を含む、請求項１記載のロック装置。
【請求項３】
前記１または２以上の登録キーが各々に割り当てられた複数のフォルダのいずれか１つを指定する指定手段をさらに備え、
前記解除手段は前記指定手段によって指定されたフォルダに対応して解除処理を実行する、請求項１または２記載のロック装置。
【請求項４】
前記ロックが解除された状態でキー変更操作が行われたとき前記１または２以上の登録キーを変更するキー変更手段をさらに備え、
前記制御手段は前記追加手段の起動／停止に対して相補的な態様で前記キー変更手段を起動または停止する、請求項１ないし３のいずれかに記載のロック装置。
【請求項５】
前記ロックが設定された状態で条件変更操作が行われたとき前記符号条件の内容を変更する条件変更手段をさらに備える、請求項１ないし４のいずれかに記載のロック装置。
【請求項６】
ロック装置のプロセッサに、
マスタキーを含む１または２以上の登録キーと入力キーとの間で符号条件が満足されるときロックを解除する解除ステップ、
前記ロックが解除された状態でキー追加操作が行われたとき所望のキーを前記登録キーとして追加する追加ステップ、および
前記解除ステップによる解除が前記マスタキーとの符号に起因するか否かを判別し、肯定的な判別結果に対応して前記追加ステップを起動する一方、否定的な判別結果に対応して前記追加ステップを停止する制御ステップを実行させるための、ロック制御プログラム。
【請求項７】
ロック装置によって実行されるロック制御方法であって、
マスタキーを含む１または２以上の登録キーと入力キーとの間で符号条件が満足されるときロックを解除する解除ステップ、
前記ロックが解除された状態でキー追加操作が行われたとき所望のキーを前記登録キーとして追加する追加ステップ、および
前記解除ステップによる解除が前記マスタキーとの符号に起因するか否かを判別し、肯定的な判別結果に対応して前記追加ステップを起動する一方、否定的な判別結果に対応して前記追加ステップを停止する制御ステップを備える、ロック制御方法。
【発明の詳細な説明】
【技術分野】
【０００１】
この発明は、ロック制御装置に関し、特に、入力キーと登録キーとの間で既定条件が満足されるときにロックを解除する、ロック装置に関する。
【背景技術】
【０００２】
この種の装置の一例が、特許文献１に開示されている。この背景技術によれば、印刷データは、ファイルサーバに設けられたＰｒｉｎｔフォルダによって管理される。Ｐｒｉｎｔフォルダは、ユーザＡのフォルダの配下にあり、かつパスワードでロックされている。ユーザＡが印刷指示のために複合機上でパスワードを入力すると、入力されたパスワードが複合機からファイルサーバに送信される。ファイルサーバでのパスワードの認証に成功すると、ユーザＡの印刷データリストがファイルサーバから複合機に送信される。ユーザＡが印刷データリスト上の所望の印刷データを選択すると、印刷データがファイルサーバから複合機へ送信される。送信された印刷データは、複合機によって印刷される。
【先行技術文献】
【特許文献】
【０００３】
【特許文献１】特開２００７−３０６３９８号公報
【発明の概要】
【発明が解決しようとする課題】
【０００４】
しかし、背景技術は、ユーザＡを含む複数のユーザによってＰｒｉｎｔフォルダを共有することや、複数のユーザの利便性のためにパスワード（キー）を追加的に発行することを想定していない。ここで、キーの追加を安易に認めると、ロック機能の安全性が低下する。
【０００５】
それゆえに、この発明の主たる目的は、ロック機能の安全性を確保しつつロック解除可能なキーを追加することができる、ロック装置を提供することである。
【課題を解決するための手段】
【０００６】
この発明に従うロック装置(10：実施例で相当する参照符号。以下同じ)は、マスタキーを含む１または２以上の登録キーと入力キーとの間で符号条件が満足されるときロックを解除する解除手段(S23~S27, S31~S47, S7, S11)、ロックが解除された状態でキー追加操作が行われたとき所望のキーを登録キーとして追加する追加手段(S55~S59)、および解除手段による解除がマスタキーとの符号に起因するか否かを判別し、肯定的な判別結果に対応して追加手段を起動する一方、否定的な判別結果に対応して追加手段を停止する制御手段(S29, S53)を備える。
【０００７】
好ましくは、解除手段はカメラ画像から１または２以上の登録キーと符号するキーを探索する探索手段(S23, S33)を含み、追加手段はカメラ画像上の物体を登録キーとして認識する認識手段(S57)を含む。
【０００８】
好ましくは、１または２以上の登録キーが各々に割り当てられた複数のフォルダのいずれか１つを指定する指定手段(S1)がさらに備えられ、解除手段は指定手段によって指定されたフォルダに対応して解除処理を実行する。
【０００９】
好ましくは、ロックが解除された状態でキー変更操作が行われたとき１または２以上の登録キーを変更するキー変更手段(S57~S67)をさらに備え、制御手段は追加手段の起動／停止に対して相補的な態様でキー変更手段を起動または停止する。
【００１０】
好ましくは、ロックが設定された状態で条件変更操作が行われたとき符号条件の内容を変更する条件変更手段(S71~S83)がさらに備えられる。
【００１１】
この発明に従うロック制御プログラムは、ロック装置(10)のプロセッサ(18)に、マスタキーを含む１または２以上の登録キーと入力キーとの間で符号条件が満足されるときロックを解除する解除ステップ(S23~S27, S31~S47, S7, S11)、ロックが解除された状態でキー追加操作が行われたとき所望のキーを登録キーとして追加する追加ステップ(S55~S59)、および解除ステップによる解除がマスタキーとの符号に起因するか否かを判別し、肯定的な判別結果に対応して追加ステップを起動する一方、否定的な判別結果に対応して追加ステップを停止する制御ステップ(S29, S53)を実行させるための、ロック制御プログラムである。
【００１２】
この発明に従うロック制御方法は、ロック装置(10)によって実行されるロック制御方法であって、マスタキーを含む１または２以上の登録キーと入力キーとの間で符号条件が満足されるときロックを解除する解除ステップ(S23~S27, S31~S47, S7, S11)、ロックが解除された状態でキー追加操作が行われたとき所望のキーを登録キーとして追加する追加ステップ(S55~S59)、および解除ステップによる解除がマスタキーとの符号に起因するか否かを判別し、肯定的な判別結果に対応して追加ステップを起動する一方、否定的な判別結果に対応して追加ステップを停止する制御ステップ(S29, S53)を備える。
【発明の効果】
【００１３】
この発明によれば、マスタキーとの符号によってロックが解除された場合、登録キーはキー追加操作に応答して追加される。これに対して、マスタキーと異なる登録キーとの符号によってロックが解除された場合は、登録キーの追加が制限される。これによって、ロック機能の安全性を確保しつつ、ロックを解除できるキーを追加することができる。
【００１４】
この発明の上述の目的，その他の目的，特徴および利点は、図面を参照して行う以下の実施例の詳細な説明から一層明らかとなろう。
【図面の簡単な説明】
【００１５】
【図１】この発明の基本的構成を示すブロック図である。
【図２】この発明の一実施例の構成を示すブロック図である。
【図３】図２実施例に適用されるテーブルの構成の一例を示す図解図である。
【図４】ディレクトリおよびフォルダの階層構造の一例を示す図解図である。
【図５】管理者および会員が保有するキーの一例を示す図解図である。
【図６】図２実施例における照合処理の一例を示す図解図である。
【図７】図２実施例における照合処理の他の一例を示す図解図である。
【図８】図２実施例におけるキー追加処理の一例を示す図解図である。
【図９】図２実施例に適用されるＬＣＤモニタの表示状態の一例を示す図解図である。
【図１０】図２実施例におけるキー変更処理の一例を示す図解図である。
【図１１】図２実施例に適用されるＬＣＤモニタの表示状態の他の一例を示す図解図である。
【図１２】図２実施例に適用されるＣＰＵの動作の一部を示すフロー図である。
【図１３】図２実施例に適用されるＣＰＵの動作の他の一部を示すフロー図である。
【図１４】図２実施例に適用されるＣＰＵの動作のその他の一部を示すフロー図である。
【図１５】図２実施例に適用されるＣＰＵの動作のさらにその他の一部を示すフロー図である。
【図１６】図２実施例に適用されるＣＰＵの動作の他の一部を示すフロー図である。
【発明を実施するための形態】
【００１６】
以下、この発明の実施の形態を図面を参照しながら説明する。
［基本的構成］
【００１７】
図１を参照して、この発明のロック装置は、基本的に次のように構成される。解除手段１は、マスタキーを含む１または２以上の登録キーと入力キーとの間で符号条件が満足されるときロックを解除する。追加手段２は、ロックが解除された状態でキー追加操作が行われたとき所望のキーを登録キーとして追加する。制御手段は、解除手段による解除がマスタキーとの符号に起因するか否かを判別し、肯定的な判別結果に対応して追加手段を起動する一方、否定的な判別結果に対応して追加手段を停止する。
【００１８】
したがって、マスタキーとの符号によってロックが解除された場合、登録キーはキー追加操作に応答して追加される。これに対して、マスタキーと異なる登録キーとの符号によってロックが解除された場合は、登録キーの追加が制限される。これによって、ロック機能の安全性を確保しつつ、ロックを解除できるキーを追加することができる。
［実施例］
【００１９】
図２を参照して、この実施例のロック装置１０は、データバスＢＳ１を含む。データバスＢＳ１には、カメラ１２，メモリデバイス１４，ＬＣＤモニタ１６，ＣＰＵ１８，ＨＤＤ２０およびキーボード／マウス２２が接続される。また、ＣＰＵ１８は、図３に示すテーブルＴＢＬ１を管理する。
【００２０】
ＨＤＤ２０に記録されたディレクトリおよびフォルダの少なくとも一部は、図４に示す階層構造を有する。図４によれば、ディレクトリ１の下階層にフォルダ１および２が設けられる。このような階層構造は、キーボード／マウス２２の操作によってＬＣＤモニタ１６に表示される。
【００２１】
フォルダ１には、マスタキーＭ＿ＫＹと固有キーＫＹ＿Ａ，ＫＹ＿ＢおよびＫＹ＿Ｃとが登録キーとして割り当てられる。マスタキーＭ＿ＫＹはキー番号“０”を有し、固有キーＫＹ＿Ａ，ＫＹ＿ＢおよびＫＹ＿Ｃはそれぞれキー番号“１”，“２”および“３”を有する。
【００２２】
また、フォルダ２には、マスタキーＭ＿ＫＹと固有キーＫＹ＿Ａ，ＫＹ＿ＢおよびＫＹ＿Ｄとが登録キーとして割り当てられる。マスタキーＭ＿ＫＹはキー番号“０”を有し、固有キーＫＹ＿Ａ，ＫＹ＿ＢおよびＫＹ＿Ｄはそれぞれキー番号“１”，“２”および“３”を有する。
【００２３】
図５を参照して、管理者は、マスタキーＭ＿ＫＹと符号するキーを所持する。また、会員Ｂは、固有キーＫＹ＿ＡおよびＫＹ＿Ｃにそれぞれ符号する２つのキーを所持する。さらに、会員Ｃは、固有キーＫＹ＿ＢおよびＫＹ＿Ｄにそれぞれ符号する２つのキーを所持する。
【００２４】
なお、マスタキーＭ＿ＫＹおよび固有キーＫＹ＿Ａ，ＫＹ＿Ｂ，ＫＹ＿Ｃ…としては、アクセサリ（ｅｘ．指輪やブレスレット），文具（ｅｘ．万年筆），化粧品（ｅｘ．口紅），携帯電子機器（ｅｘ．携帯電話機）のような、身近に存在しかつ画像認識が容易な物品が想定される。したがって、この実施例では、“キー”は物品と同義である。
【００２５】
図４に示す階層構造がＬＣＤモニタ１６に表示されている状態で、操作者（管理者Ａ，会員Ｂまたは会員Ｃ）がキーボード／マウス２２を用いて所望のフォルダを指定すると、“入力キーをカメラに翳してください”とのガイドがＬＣＤモニタ１６にＯＳＤ表示される。操作者は、マスタキーＭ＿ＫＹまたは固有キーＫＹ＿Ａ，ＫＹ＿Ｂ，ＫＹ＿Ｃ…に相当する１または２以上のキーを、入力キーとしてカメラ１２に同時に翳すことになる。
【００２６】
カメラ１２から出力された画像データは、メモリデバイス１４に書き込まれる。ＣＰＵ１８は、マスタキーＭ＿ＫＹまたは所望のフォルダに割り当てられた固有キーＫＹ＿＊（＊：Ａ，Ｂ，Ｃ，…）を参照して、メモリデバイス１４に格納された画像データに照合処理を施す。
【００２７】
マスタキーＭ＿ＫＹまたは固有キーＫＹ＿＊との間で符号条件を満足するキーが画像データから検出されると、照合結果は“ＯＫ”を示す。これに対して、マスタキーＭ＿ＫＹまたは固有キーＫＹ＿＊との間で符号条件を満足するキーが画像データから検出されなければ、照合結果は“ＮＧ”を示す。照合結果が“ＮＧ”であれば既定のエラー処理が実行され、照合結果が“ＯＫ”であれば所望のフォルダがオープンされる。こうしてオープンされたフォルダは、キーボード／マウス２２に向けたクローズ操作によってクローズされる。
【００２８】
照合処理は、次のようにして実行される。まず、フラグＦＬＧｍｓｔが“０”に設定され、マスタキーＭ＿ＫＹと符号するキーが画像データから探索される。マスタキーＭ＿ＫＹと符号するキーが画像データから検出されると、探索に成功したとして、照合結果が“ＯＫ”に設定される。さらに、検出された入力キーがマスタキーに符号することを表明するべく、フラグＦＬＧｍｓｔが“１”に更新される。
【００２９】
マスタキーと符号するキーが画像データから検出されなければ、変数ＫおよびＭがそれぞれ“０”および“１”に設定される。変数Ｋは図２に示すテーブルＴＢＬ１のカラム番号に相当し、変数Ｍは所望のフォルダに割り当てられた固有キーＫＹ＿＊のキー番号に相当する。
【００３０】
続いて、キー番号Ｍを有する固有キーＫＹ＿＊と符号するキーが、画像データから探索される。キー番号Ｍを有する固有キーＫＹ＿＊と符号するキーが検出されると、変数Ｋがインクリメントされ、キー番号Ｍを有する固有キーＫＹ＿＊がテーブルＴＢＬ１のカラムＫに記述される。一方、キー番号Ｍを有する固有キーＫＹ＿＊と符号するキーが検出されなければ、変数Ｋのインクリメント処理およびテーブルＴＢＬ１に対する記述処理は省略される。このようなキー探索処理は、変数Ｍが最大値Ｍｍａｘ（＝所望のフォルダに割り当てられた固有キーＫＹ＿＊の数）に達するまで繰り返し実行される。
【００３１】
図６を参照して、会員Ｂがフォルダ１を指定し、固有キーＫＹ＿Ａと符号するキーをカメラ１２に翳すと、このキーが画像データから検出され、固有キーＫＹ＿ＡがテーブルＴＢＬ１のカラム１に記述される。また、図７を参照して、会員Ｃがフォルダ２を指定し、固有キーＫＹ＿ＢおよびＫＹ＿Ｄにそれぞれ符号する２つのキーをカメラ１２に同時に翳すと、これらのキーが画像データから検出され、固有キーＫＹ＿ＢおよびＫＹ＿ＤがテーブルＴＢＬ１のカラム１および２にそれぞれ記述される。
【００３２】
変数Ｍが最大値Ｍｍａｘを上回ると、変数Ｋ（＝符号した入力キーの数）が閾値ＴＨ以上であるか否かが判別される。Ｋ≧ＴＨであれば、符号条件が満足されたとみなされ、照合結果が“ＯＫ”に設定される。これに対して、Ｋ＜ＴＨであれば、符号条件は満足されなかったとみなされ、照合結果は“ＮＧ”に設定される。
【００３３】
所望のフォルダがオープン状態にあるときは、キー登録操作に応答してキー追加処理が実行され、キー変更操作に応答してキー変更処理が実行される。ただし、キー登録操作は、フラグＦＬＧｍｓｔが“１”を示すときに許可される一方、フラグＦＬＧｍｓｔが“０”を示すときに禁止される。また、キー変更操作は、フラグＦＬＧｍｓｔが“０”を示すときに許可される一方、フラグＦＬＧｍｓｔが“１”を示すときに禁止される。
【００３４】
つまり、キー登録操作は、マスタキーＭ＿ＫＹとの符号によってフォルダがオープンされたときにのみ許可される。これに対して、キー変更操作は、固有キーＫＹ＿＊との符号によってフォルダがオープンされたときにのみ許可される。
【００３５】
キー追加処理にあたっては、カメラ１２に翳されている入力キーが認識される。認識された入力キーは、オープン状態のフォルダに追加の固有キーＫＹ＿＊として割り当てられる。したがって、図８に示すように、管理者Ａがフォルダ１をオープンし、その後に新入会員Ｄがキー登録操作を行いかつキーＫＹ＿Ｅをカメラ１２に翳すと、キーＫＹ＿Ｅがフォルダ１に追加的に割り当てられる。
【００３６】
キー変更処理にあたっては、テーブルＴＢＬ１に記述された１または２以上の固有キーＫＹ＿＊がＬＣＤモニタ１６に列挙される。列挙された１または２以上の固有キーＫＹ＿＊の１つが操作者によって選択されると、その時点でカメラ１２に翳されている入力キーが認識される。認識された入力キーは、操作者によって選択された固有キーＫＹ＿＊の代わりに所望のフォルダに割り当てられる。
【００３７】
したがって、図７に示す要領でフォルダ２をオープンした会員Ｂがキー変更操作を行うと、固有キーＫＹ＿ＢおよびＫＹ＿Ｄが図９に示す要領でＬＣＤモニタ１６に列挙される。ここで、会員ＢがキーＫＹ＿Ｆをカメラ１２に翳しかつ固有キーＫＹ＿Ｂを選択すると、図１０に示すように、キーＫＹ＿Ｆが固有キーＫＹ＿Ｂの代わりにフォルダ２に割り当てられる。
【００３８】
フォルダがクローズ状態にあるときは、管理者Ａによるパスワードの入力に応答して、閾値入力欄が図１１に示す要領でＬＣＤモニタ１６に表示される。閾値変更操作が行われると、上述した閾値ＴＨの大きさが変更され、これによって符号条件の内容が変更される。完了操作が行われると、閾値入力欄が非表示とされる。
【００３９】
ＣＰＵ１８は、図１２〜図１４に示すロック制御タスク，図１５に示す登録変更タスク，および図１６に示す条件変更タスクを含む複数のタスクを並列的に実行する。なお、これらのタスクに対応する制御プログラムは、ＨＤＤ２０に記憶される。
【００４０】
図１２を参照して、ステップＳ１ではフォルダ指定処理を実行する。所望のフォルダは、操作者によるキーボード／マウス２２の操作によって指定される。ステップＳ３では“入力キーをカメラに翳してください”とのガイドをＬＣＤモニタ１６にＯＳＤ表示し、ステップＳ５ではメモリデバイス１４に格納された画像データをマスタキーＭ＿ＫＹおよび所望のフォルダに割り当てられた固定キーＫＹ＿＊の各々と照合する。入力キーがマスタキーＭ＿ＫＹまたは固有キーＫＹ＿＊との間で符号条件を満足すれば、照合結果は“ＯＫ”を示す。これに対して、入力キーがマスタキーＭ＿ＫＹまたは固有キーＫＹ＿＊との間で符号条件を満足しなければ、照合結果は“ＮＧ”を示す。
【００４１】
ステップＳ７では、照合結果が“ＯＫ”および“ＮＧ”のいずれを示すかを判別する。照合結果が“ＮＧ”であれば、ステップＳ１１でエラー処理を実行し、その後にステップＳ１に戻る。照合結果が“ＯＫ”であればステップＳ１１に進み、所望のフォルダをオープンする。ステップＳ１３では、クローズ操作が行われたか否かを判別する。判別結果がＮＯからＹＥＳに更新されると、オープンされている所望のフォルダをステップＳ１５でクローズし、その後にステップＳ１に戻る。
【００４２】
ステップＳ５の照合処理は、図１３〜図１４に示すサブルーチンに従って実行される。まずステップＳ２１でフラグＦＬＧｍｓｔを“０”に設定する。ステップＳ２３ではマスタキーＭ＿ＫＹと符号するキーを画像データから探索し、ステップＳ２５では探索に成功したか否かを判別する。マスタキーＭ＿ＫＹと符号するキーが画像データから検出されると、ステップＳ２５でＹＥＳと判断し、ステップＳ２７で照合結果を“ＯＫ”に設定する。ステップＳ２９ではフラグＦＬＧｍｓｔを“１”に更新し、その後に上階層のルーチンに復帰する。
【００４３】
マスタキーＭ＿ＫＹと符号するキーが画像データから検出されなければ、ステップＳ２５からステップＳ３１に進み、変数ＫおよびＭをそれぞれ“０”および“１”に設定する。ステップＳ３３では、Ｍ番目の固有キーＫＹ＿＊と符号するキーを画像データから探索し、続くステップＳ３５では探索に成功したか否かを判別する。
【００４４】
Ｍ番目の固有キーＫＹ＿＊と符号するキーが画像データから検出されたときは、ステップＳ３７で変数Ｋをインクリメントし、ステップＳ３９でＭ番目の固有キーＫＹ＿＊をテーブルＴＢＬ１のカラムＫに記述し、その後にステップＳ４１に進む。一方、Ｍ番目の固有キーＫＹ＿＊と符号するキーが画像データから検出されなかったときは、そのままステップＳ４１に進む。
【００４５】
ステップＳ４１では変数Ｍをインクリメントし、ステップＳ４３ではインクリメントされた変数Ｍが最大値Ｍｍａｘを上回るか否かを判別する。判別結果がＮＯであればステップＳ３３に戻り、判別結果がＹＥＳであればステップＳ４５に進む。ステップＳ４５では、変数Ｋが閾値ＴＨ以上であるか否かを判別する。判別結果がＹＥＳであれば、ステップＳ４７で照合結果を“ＯＫ”に設定する。判別結果がＮＯであれば、ステップＳ４９で照合結果が“ＮＧ”に設定する。ステップＳ４７またはＳ４９の処理が完了すると、上階層のルーチンに復帰する。
【００４６】
図１５を参照して、ステップＳ５１ではフォルダがオープン状態であるか否かを判別する。判別結果がＮＯからＹＥＳに更新されると、フラグＦＬＧｍｓｔが“１”であるか否かをステップＳ５３で判別し、キー登録操作が行われたか否かをステップＳ５５で判別し、キー変更操作が行われたか否かをステップＳ５７で判別する。なお、ステップＳ５５の判別処理はステップＳ５３でＹＥＳと判別されたときに実行され、ステップＳ５７の判別処理はステップＳ５３でＮＯと判別されたときに実行される。
【００４７】
ステップＳ５５の判別結果がＮＯであればそのままステップＳ５１に戻り、ステップＳ５５の判別結果がＹＥＳであればステップＳ５７〜Ｓ５９の処理を経てステップＳ５１に戻る。また、ステップＳ５７の判別結果がＮＯであればそのままステップＳ５１に戻り、ステップＳ５７の判別結果がＹＥＳであればステップＳ６１〜Ｓ６７の処理を経てステップＳ５１に戻る。
【００４８】
ステップＳ５７では、メモリデバイス１４に格納された画像データから入力キーを認識する。ステップＳ５９では、認識された入力キーを固有キーＫＹ＿＊として所望のフォルダに追加的に割り当てる。
【００４９】
ステップＳ６１では、テーブルＴＢＬ１に記述された１または２以上の固有キーＫＹ＿＊をＬＣＤモニタ１６に列挙する。列挙された１または２以上の固有キーＫＹ＿＊の１つが操作者によって選択されると、ステップＳ６３からステップＳ６５に進み、ステップＳ５７と同様の認識処理を実行する。ステップＳ６７では、認識された入力キーを選択された固有キーＫＹ＿＊の代わりに所望のフォルダに割り当てる。
【００５０】
図１６を参照して、ステップＳ７１では、フォルダがクローズ状態であるか否かを判別する。判別結果がＮＯであればステップＳ７１に戻り、判別結果がＹＥＳであればステップＳ７３に進む。ステップＳ７３では、パスワードが入力されたか否かを判別する。パスワードが入力されないか、或いは入力されたパスワードが誤りであれば、ステップＳ７１に戻る。一方、正しいパスワードが入力されれば、パスワードの入力者は管理者Ａであるとみなし、ステップＳ７５で閾値入力欄をＬＣＤモニタ１６に表示する。
【００５１】
ステップＳ７７では閾値変更操作が行われたか否かを判別し、判別結果がＮＯであればそのままステップＳ８１に進む一方、判別結果がＹＥＳであればステップＳ７９で閾値ＴＨの大きさを変更してからステップＳ８１に進む。ステップＳ８１では完了操作が行われたか否かを判別し、判別結果がＮＯであればステップＳ７７に戻る一方、判別結果がＹＥＳであればステップＳ８３で閾値入力欄を非表示としてからステップＳ７１に戻る。
【００５２】
以上の説明から分かるように、マスタキーＭ＿ＫＹを含む１または２以上の登録キーとカメラ１２に翳された入力キーとの間で符号条件が満足されると、ＨＤＤ２０に記録された所望のフォルダがＣＰＵ１８によってオープンされる(S23~S27, S31~S47, S7, S11)。所望のフォルダがオープンされた状態でキーボード／マウス２２に対するキー追加操作が行われると、ＣＰＵ１８は所望のキーを登録キーとして追加する(S55~S59)。ただし、所望のフォルダのオープンがマスタキーＭ＿ＫＴとの符号に起因するか否かがＣＰＵ１８によって判別され(S29, S53)、キー追加操作は、肯定的な判別結果に対応して許可される一方、否定的な判別結果に対応して禁止される。
【００５３】
したがって、マスタキーＭ＿ＫＹとの符号によってフォルダがオープンされた場合、登録キーはキー追加操作に応答して追加される。これに対して、マスタキーＭ＿ＫＹと異なる登録キーとの符号によってフォルダがオープンされた場合は、登録キーの追加が制限される。これによって、フォルダのロック機能の安全性を確保しつつ、フォルダのロックを解除できるキーを追加することができる。
【００５４】
なお、この実施例では、ロックされる処理動作としてフォルダオープンを想定している。しかし、書き込み禁止，特定の操作，各種設定パラメータの変更，動作モードの移行などをロックされる処理動作として想定するようにしてもよい。
【００５５】
また、カメラを内蔵したロック装置が何らかの動作をロックしたり解除したりする対象は、ロック装置そのものに限らず、別途接続される電子機器であってもよい。さらに、接続態様は有線接続および無線接続のいずれであってもよい。
【符号の説明】
【００５６】
１０  …ロック装置
１２  …カメラ
１４  …メモリデバイス
１８  …ＣＰＵ
【図１】
2010267097.tif 000003
【図２】
2010267097.tif 000004
【図３】
2010267097.tif 000005
【図４】
2010267097.tif 000006
【図５】
2010267097.tif 000007
【図６】
2010267097.tif 000008
【図７】
2010267097.tif 000009
【図８】
2010267097.tif 000010
【図９】
2010267097.tif 000011
【図１０】
2010267097.tif 000012
【図１１】
2010267097.tif 000013
【図１２】
2010267097.tif 000014
【図１３】
2010267097.tif 000015
【図１４】
2010267097.tif 000016
【図１５】
2010267097.tif 000017
【図１６】
2010267097.tif 000018